(57)【特許請求の範囲】
【請求項１】
個別の駐車区域毎に端末機を設けて駐車車両を管理するエリアを有し、駐車車両の駐車料金を集中精算する駐車料金精算機を備え、該駐車料金精算機から要求があったときは、前記端末機で算出した駐車料金を前記駐車料金精算機に知らせるよう構成した駐車場を管理する駐車場管理システムにおいて、
前記駐車料金精算機は、駐車料金算出用の料金データを設定する料金データ設定部を備え、
前記料金データ設定部は、料金データの設定画面が表示される操作部を有し、該操作部の設定画面上を操作することによって前記料金データが設定できる構成とし、前記料金データが設定されたときは、当該設定された料金データが前記駐車料金精算機から前記端末機へ送信されて設定された料金体系に更新されることを特徴とする駐車場管理システム。
【請求項２】
前記料金データ設定部は、駐車場内に予め設定した複数のエリア毎に前記料金データの設定が可能な構成としたことを特徴とする請求項１に記載の駐車場管理システム。
【請求項３】
前記複数のエリアは、個別の駐車区域毎に設けられた端末機によって駐車車両の入出庫が管理されるエリアと、駐車場の出入口に設けたゲートによって駐車車両の入出庫が管理されるエリアである構成としたことを特徴とする請求項２に記載の駐車場管理システム。
【請求項４】
前記料金データ設定部は、休・平日毎に前記料金データの設定が可能な構成としたことを特徴とする請求項１〜３のいずれか１つに記載の駐車場管理システム。
【請求項５】
前記料金データ設定部は、時間帯を指定して前記料金データの設定が可能な構成としたことを特徴とする請求項１〜４のいずれか１つに記載の駐車場管理システム。
【請求項６】
前記操作部は、設定画面に表示される設定項目を選択する毎に、選択した設定項目に応じた新たな画面が表示される構成であることを特徴とする請求項１〜５のいずれか１つに記載の駐車場管理システム。
【発明の詳細な説明】
【０００１】
【発明の属する技術分野】
本発明は、駐車車両の駐車料金を集中精算する駐車料金精算機を備えた駐車場を管理する駐車場管理システムに関し、特に、駐車料金の設定を容易にできる駐車場管理システムに関する。
【０００２】
【従来の技術】
例えば、駐車場管理システムとして、駐車場内に複数設けた個別の駐車区域毎に設けて駐車車両の入出庫を管理する複数の端末機と駐車料金精算機との通信により当該各駐車区域の駐車料金を集中精算するように構成されたものや、駐車場の出入口にゲートを設けて駐車車両の入出庫を管理し、入庫時に発行した駐車券の内容に基づいて出庫時に駐車料金を精算するように構成されたものがある。
【０００３】
このようなシステムでは、従来、駐車料金算出用の料金体系等の料金データを記憶させたＲＯＭを精算機にセットすることで駐車料金を設定していた。
【０００４】
【発明が解決しようとする課題】
ところで、近年、駐車場利用者の多様なニーズに応えるために、駐車料金の設定の変更を頻繁に行う必要性が生じてきている。
しかしながら、従来は、１パターンの料金データをＲＯＭに記憶させて駐車料金の設定をしているので、駐車料金の設定を変更する場合にはＲＯＭの交換を行わなければならず、作業の負担が大きいと共に、料金データを部分的に変更することができなかった。
【０００５】
本発明は、上記の事情に鑑みてなされたもので、駐車料金の設定を容易にできる駐車場管理システムを提供することを目的とする。
【０００６】
【課題を解決するための手段】
このため、請求項１に係る発明は、個別の駐車区域毎に端末機を設けて駐車車両を管理するエリアを有し、駐車車両の駐車料金を集中精算する駐車料金精算機を備え、該駐車料金精算機から要求があったときは、前記端末機で算出した駐車料金を前記駐車料金精算機に知らせるよう構成した駐車場を管理する駐車場管理システムにおいて、前記駐車料金精算機は、駐車料金算出用の料金データを設定する料金データ設定部を備え、前記料金データ設定部は、料金データの設定画面が表示される操作部を有し、該操作部の設定画面上を操作することによって前記料金データが設定できる構成とし、前記料金データが設定されたときは、当該設定された料金データが前記駐車料金精算機から前記端末機へ送信されて設定された料金体系に更新される構成とした。
【０００７】
かかる構成では、駐車場に備えた料金精算機で画面上を操作するだけで料金データを設定できるようになると共に、一部の料金データを変更できるようになる。そして、料金精算機で料金データを設定すると、設定された料金データは、駐車料金を算出する端末機側に送信されて料金体系が更新され、端末機の料金体系が設定されるようになる。
また、請求項２に係る発明は、前記料金データ設定部は、駐車場内に予め設定した複数のエリア毎に前記料金データの設定が可能な構成とした。
かかる構成では、駐車場内に予め設定した複数のエリア毎に別々の料金データを設定できるようになる。
【０００８】
また、請求項３に係る発明は、前記複数のエリアは、個別の駐車区域毎に設けられた端末機によって駐車車両の入出庫が管理されるエリアと、駐車場の出入口に設けたゲートによって駐車車両の入出庫が管理されるエリアである構成とした。
かかる構成では、個別の駐車区域毎に設けられた端末機によって駐車車両の入出庫が管理されるエリアと、駐車場の出入口に設けたゲートによって駐車車両の入出庫が管理されるエリアとで別々の料金データを設定できるようになる。
また、請求項４に係る発明は、前記料金データ設定部は、休・平日毎に前記料金データの設定が可能な構成とした。
【０００９】
かかる構成では、休日と平日の料金データを設定できるようになる。
また、請求項５に係る発明は、前記料金データ設定部は、時間帯を指定して前記料金データの設定が可能な構成とした。
【００１０】
かかる構成では、時間帯を指定して料金データを設定できるようになる。
また、請求項６に係る発明は、前記操作部は、設定画面に表示される設定項目を選択する毎に、選択した設定項目に応じた新たな画面が表示される構成であることを特徴とした。
かかる構成では、操作部の設定画面内に表示される設定項目の選択により新たな画面が表示され、選択毎に表示される新たな画面の設定項目の内容に従って料金データを設定する。
【００１４】
【発明の実施の形態】
以下に本発明の実施の形態を図面に基づいて説明する。
図１は、本発明に係る駐車場管理システムの第１実施形態を適用する駐車場の例を示す図である。
駐車場１は、入場した車２が１台駐車できる複数の駐車区域３に仕切られ、各区域３には、当該区域３を区別する例えば駐車番号（図中の１、２、・・、６）が付され、駐車車両の有無や駐車時間等を管理する端末機４が設けられている。また、出入口５近傍に各区域３の駐車料金を集中精算する駐車料金精算機６が設けられている。
【００１５】
ここで、駐車料金精算機６と各端末機４は、図示しない伝送線等を用いて通信可能に接続されている。
尚、本実施形態では、例えば２つのエリア１Ａ、１Ｂが予め設定されている駐車場１について説明するが、エリアの数は２つに限らない。
図２及び図３は、本実施形態に係る駐車料金精算機６を示した図で、図２は外観図、図３はブロック図である。
【００１６】
図において、駐車料金精算機６は、駐車料金精算機６の精算動作の制御を統括的に行う第１制御部７と、駐車料金算出用の料金データとしての料金体系等を設定するときに係員が操作する係員操作部８と、係員操作部８の操作によって設定された料金体系等、精算に必要な情報を更新し記憶する第１メモリ９と、現在時刻を計時する第１時計ユニット１０と、区域３の駐車番号を入力するテンキー１１と、例えば、挿入されたサービス券やプリペードカードに記録されている情報の読み取りまたは書き換え等を行うカード処理機１２と、駐車料金精算時に、硬貨や紙幣を受付処理する硬貨処理ユニット１３および紙幣処理ユニット１４と、精算の取消を要求する場合に利用者が操作する精算取消ボタン１５と、駐車料金を表示する料金表示部１６と、投入金額を表示する投入金表示部１７と、各端末機４との間でシリアルデータ通信を行うための第１データ通信部１８と、Ｉ／Ｏユニット１９と、を備えて構成される。
【００１７】
尚、図示しないが、領収書発行ボタンと、領収書等をプリントアウトするプリンタと、操作手順等を音声で案内する音声案内ユニットも、従来の駐車料金精算機と同様に備えている。
係員操作部８はタッチパネル式であり、例えば係員が画面内に表示されるいずれかの設定項目領域に触れることで選択した設定項目に応じた新たな画面を表示し、選択毎に変化する各画面の設定項目の内容に従って料金体系を設定する構成である。
【００１８】
尚、係員操作部８は通常、例えば駐車場利用者への案内表示等をしているが、例えばテンキー１１から所定の番号入力があると、第１制御部７の制御によって画面が切り替わり係員操作用の画面となる。
ここで、第１制御部７、係員操作部８及び第１メモリ９で料金データ設定部を構成する。
【００１９】
図４は、本実施形態に係る端末機４のブロック図である。
端末機４は、端末機４の制御を統括的に行うと共に、駐車料金精算機６からの要求に応じて駐車料金を算出する第２制御部２０と、区域３内の車２を検知する車両検知器２１と、現在時刻を計時する第２時計ユニット２２と、例えば駐車開始時刻や駐車料金精算機６からダウンロードされる前記料金体系等を記憶する第２メモリ２３と、区域３内の車２をロックする図１に示すフラップユニット２４をモータ駆動させるフラップ駆動部２５と、駐車料金が課金中であるか否か等の駐車情報をＬＥＤ等によって表示する未精算表示部２６と、駐車料金精算機６との間でシリアルデータ通信を行うための第２データ通信部２７と、Ｉ／Ｏユニット２８と、を備えて構成される。
【００２０】
ここで、本実施形態における駐車料金精算機６と端末機４の精算動作について簡単に説明する。
まず、精算時にテンキー１１の操作によって駐車番号が入力されると精算機６は、当該駐車番号に対応する駐車区域３の端末機４に駐車料金を問い合わせる。一方、精算機６からの問い合わせを受けた端末機４は、第２メモリ３２に記憶されている駐車車両２の駐車開始時刻と、第２時計ユニット３１から読み取った現在時刻と、から駐車時間を算出する。そして、第２メモリ３２に記憶されている料金体系と、算出した駐車時間と、から区域３の駐車料金を算出し、算出した駐車料金を精算機６に知らせる。
【００２１】
端末機４で算出された駐車料金に相当する金額が完納されると、精算機６は端末機４に精算が完了したことを知らせる。これにより端末機４は例えばフラップユニット２４に備えたロック板２４Ａを倒伏駆動させて駐車車両２の出庫を可能にする。
次に、駐車場１の駐車料金の設定を変更する場合の本実施形態の駐車料金精算機６の第１制御部７の動作を図５のフローチャートを参照しながら説明する。
【００２２】
ステップ１において、前記係員操作用の画面の操作によって後述する駐車料金設定モードが選択されるまで待機する。
駐車料金設定モードが選択されると、ステップ２において、係員による前記係員操作用の画面に表示される設定項目の選択に従って画面を切り替えて料金体系を設定する。
【００２３】
ステップ３において、第１メモリ９に記憶されている料金体系を設定された料金体系に更新する。
ステップ４において、ステップ３で更新した料金体系を端末機４に送信する。
ステップ５において、料金体系の送信が終了するまで待機する。そして料金体系の送信が終了すると駐車料金の設定変更の動作を終了する。
【００２４】
次に、駐車場１の駐車料金の設定を変更する場合の端末機４の第２制御部２０の動作を図６のフローチャートを参照しながら説明する。
ステップ１１において、駐車料金精算機６から送信される料金体系を受信するまで待機する。
料金体系を受信すると、ステップ１２において、第２メモリ２３に記憶されている料金体系を受信した料金体系に更新する。
【００２５】
以下、駐車料金精算機６における料金体系の設定動作を図７、８及び図９のフローチャートを参照しながら詳述する。
図７、８は、前記係員操作用の画面の具体的な表示内容を示した図である。
ステップ２１において、テンキー１１から所定の番号が入力され、係員操作部８に図７（Ａ）に示す前記係員操作用の画面が表示されるまで待機する。
【００２６】
図７（Ａ）の画面は、例えば、精算機６の設定を行う場合に選択されるメニュー８ａと、精算機６で精算した金額を集金、集計する場合に選択される集金／集計８ｂ等を表示する。
前記係員操作用の画面が表示されるとステップ２２において、図７（Ａ）の画面に表示されたメニュー８ａが選択されたか否かを判定する。判定の結果、ＹＥＳの場合は、図７（Ａ）の画面を図７（Ｂ）に示す画面に切り替えてステップ２３の動作に進み、ＮＯの場合は、後述のステップ３１の動作に進む。
【００２７】
図７（Ｂ）の画面は、例えば、駐車場１の運営に関する設定を行う場合に選択される運用８ｃと、精算機６の保守点検を行う場合に選択される保守８ｄと、例えば駐車場１を臨時休業させたい場合等、特殊な運用を行う場合に選択されるモード８ｅと、係員によるマニュアル操作で駐車料金を精算する場合に選択される手動８ｆ等を表示する。
【００２８】
ステップ２３において、図７（Ｂ）の画面に表示された運用８ｃが選択されたか否かを判定する。判定の結果、ＹＥＳの場合は、図７（Ｂ）の画面を図７（Ｃ）に示す画面に切り替えてステップ２４の動作に進み、ＮＯの場合は、後述のステップ３３の動作に進む。
図７（Ｃ）の画面は、例えば、駐車料金の設定を行う場合に選択される料金８ｇと、例えば駐車場１の満車台数を設定する場合に選択される台数８ｈと、駐車場１の定休日を設定する場合に選択される休日８ｉ等を表示する。
【００２９】
ステップ２４において、図７（Ｃ）の画面に表示された料金８ｇが選択され駐車料金設定モードになったか否かを判定する。判定の結果、ＹＥＳの場合は、図７（Ｃ）の画面を図７（Ｄ）に示す画面に切り替えてステップ２５の動作に進み、ＮＯの場合は、後述のステップ３４の動作に進む。
ステップ２５において、図７（Ｄ）の画面に表示されたテンキーに所定のパスワードが入力されるまで待機する。所定のパスワードが入力されると、図７（Ｄ）の画面を図７（Ｅ）に示す画面に切り替えてステップ２６の動作に進む。
【００３０】
図７（Ｅ）の画面は、例えば、駐車場１の全エリアを選択する一括設定８ｊと、駐車場１のエリア１Ａを選択するエリアＡ設定８ｋと、駐車場１のエリア１Ｂを選択するエリアＢ設定８ｌ等を表示する。
ステップ２６において、図７（Ｅ）の画面に表示された一括設定８ｊ、エリアＡ設定８ｋ、及びエリアＢ設定８ｌのうちのいずれか１つが選択されるまで待機する。いずれか１つが選択されると、図７（Ｅ）の画面を図８（Ｆ）に示す画面に切り替えてステップ２７の動作に進む。
【００３１】
図８（Ｆ）の画面は、例えば、図７（Ｅ）の画面で選択されたエリアの駐車料金の設定を行う場合に選択される料金設定８ｍと、図７（Ｅ）の画面で選択されたエリアの定休日を設定する場合に選択される休日設定８ｎと、図７（Ｅ）の画面で選択されたエリアの利用時間帯を設定する場合に選択される時間帯設定８ｏ等を表示する。
【００３２】
尚、図８（Ｆ）以降ではエリアＡ設定８ｋが選択された場合を示すが、図７（Ｅ）で一括設定８ｊまたはエリアＢ設定８ｌが選択された場合も各図における見出しの表示内容が異なるだけで以下に説明する動作は同じである。
ステップ２７において、図８（Ｆ）の画面に表示された料金設定８ｍが選択されたか否かを判定する。判定の結果、ＹＥＳの場合は図８（Ｆ）の画面を図８（Ｇ）に示す画面に切り替えてステップ２８の動作に進み、ＮＯの場合は、後述のステップ３５の動作に進む。
【００３３】
図８（Ｇ）の画面は、例えば、料金データを入力する場合に選択される料金データ８ｐと、例えば駐車料金をサービスする時間帯を設定する場合に選択されるサービスデータ８ｑと、例えば設定された料金体系を印刷する場合に選択される印刷８ｒ等を表示する。
ステップ２８において、図８（Ｇ）の画面に表示された料金データ８ｐが選択されたか否かを判定する。判定の結果、ＹＥＳの場合は図８（Ｇ）の画面を図８（Ｈ）に示す画面に切り替えてステップ２９の動作に進み、ＮＯの場合は、後述のステップ３６の動作に進む。
【００３４】
図８（Ｈ）の画面は、例えば、平日の昼間の料金体系の入力を行う場合に選択される平日／昼間８ｓと、平日の夜間の料金体系の入力を行う場合に選択される平日／夜間８ｔと、休日の昼間の料金体系の入力を行う場合に選択される休日／昼間８ｕと、休日の夜間の料金体系の入力を行う場合に選択される休日／夜間８ｖ等を表示する。
【００３５】
ステップ２９にいて、図８（Ｈ）の画面に表示された平日／昼間８ｓ、平日／夜間８ｔ、休日／昼間窓８ｕ及び休日／夜間８ｖのうちのいずれか１つが選択されるまで待機する。いずれか１つが選択されると、図８（Ｈ）の画面を図８（Ｉ）に示す画面に切り替えてステップ３０の動作に進む。
図８（Ｉ）の画面は、例えば、駐車時間に応じた各段階における時間８ｗ当たりの金額８ｘで表される料金体系と、当該料金体系を実行する回数８ｙ等を表示する。
【００３６】
前記各段階における料金体系は、図８（Ｉ）に示すように、駐車を開始してから適用される基本料金体系と、基本料金体系が終了した後に適用される追加Ａ料金体系と、追加Ａ料金体系が終了した後に適用される追加Ｂ料金体系と、追加Ｂ料金体系が終了した後に適用される追加Ｃ料金体系と、からなる。具体的に図８（Ｉ）では、駐車開始後６０分が経過すると駐車料金を１００円課金する基本料金体系を１回実行した後、３０分が経過すると２００円課金する追加Ａ料金体系を１回実行し、さらに、１５分が経過すると３００円課金する追加Ｂ料金体系を１回実行し、以降、１０分が経過すると３００円課金する追加Ｃ料金体系を繰り返し実行するような場合を示している。
【００３７】
また、時間８ｗ、料金８ｘ及び回数８ｙの値は、変更を希望する設定項目領域を選択することで表示される図示しないテンキーの操作によって入力される。
尚、図８（Ｉ）では休日／昼間８ｕが選択された場合を示しているが、図８（Ｈ）で他の項目が選択された場合も見出しの表示内容が異なるだけである。
ステップ３０において、第１メモリ９に記憶されている料金体系を図８（Ｉ）の画面に入力された料金体系に書き換える。これによりエリア１Ａの休日昼間の料金体系の設定が完了する。
【００３８】
ステップ２２において、メニュー８ａが選択されないと判定した場合、ステップ３１において、集計／集金８ｂが選択されたか否かを判定する。判定の結果、ＹＥＳの場合はステップ３２において、徴収した駐車料金の集計を行う。一方、ＮＯの場合はステップ２２の動作に戻る。
ステップ２３において、運用８ｃが選択されないと判定した場合、ステップ３３において、運用８ｃ以外の設定項目８ｄ〜８ｆの選択に従った動作を行う。
【００３９】
ステップ２４において、料金８ｇが選択されないと判定した場合、ステップ３４において、料金８ｇ以外の設定項目８ｈ、８ｉの選択に従った動作を行う。
ステップ２７において、料金設定８ｍが選択されないと判定した場合、ステップ３５において、料金設定８ｍ以外の設定項目８ｍ、８ｏの選択に従った動作を行う。
【００４０】
ステップ２８において、料金データ８ｐが選択されないと判定した場合、ステップ３６において、サービスデータ８ｑの選択に従ってサービスデータの設定動作を行う。
尚、係員操作部８は、例えば各画面における設定項目の選択に誤りがあった場合には、図示しないが各画面に表示される終了を選択すると前に表示された画面に戻る構成である。
【００４１】
以上のように、第１実施形態では、係員操作部８の画面内で選択した設定項目に応じて画面が変化し、各画面における設定項目の内容に従って料金体系を設定できる構成としたので、従来のようにＲＯＭ等のハードウェアを交換する必要がなく駐車料金の設定作業が容易になる。
また、一部の料金体系を変更したい場合、従来のＲＯＭ交換方式では変更する必要のないデータまで更新することになるが、本実施形態の装置では、設定項目を細分化することで変更したい項目だけを選択し変更することが可能になる。
【００４２】
そして、係員操作部８で設定された料金体系を端末機４にダウンロードする構成としたので、駐車料金算出機能を備えた各端末機に対して料金体系を一括して設定できるようになる。
さらに、駐車場１を２つのエリア１ａ、１ｂに区分けし、各エリア１ａ、１ｂ毎に料金体系を設定できる構成としたので、例えば、施設に近いエリアの駐車料金と施設から遠いエリアの駐車料金の差別化を図る等して駐車場の運用効率を向上させることができる。
【００４３】
尚、第１実施形態では、駐車場１内の個別の駐車区域３毎に設けた端末機４によって駐車車両２を管理する駐車場１に適用した例を説明したが、端末機４によって駐車車両２を管理するエリアと、前記ゲートによって駐車車両を管理するエリアとが共存する駐車場に適用してもよい。この場合、前記端末機４によって駐車車両２を管理するエリアと、前記ゲートによって駐車車両２を管理するエリアとで別々の料金体系を設定することが可能である。
【００４４】
次に、本発明に係る駐車場管理システムの第２実施形態について説明する。
図１０は、本実施形態に係る駐車場管理システムのブロック図である。
尚、駐車場及び駐車料金精算機については図１で付されている符号を用いて説明する。
駐車場管理システムは、第１実施形態と同じ構成の例えば４つの駐車場１ａ〜１ｄに設けられた駐車料金精算機６ａ〜６ｄと、これら駐車料金精算機６ａ〜６ｄを集中管理する中央管理装置２９と、を備えて構成される。
【００４５】
ここで、中央管理装置２９と駐車料金精算機６ａ〜６ｄは、伝送線等を用いて通信可能に接続されている。
尚、本実施形態では駐車場が４つの場合について説明するが、駐車場は４つに限定されるものでないことは言うまでもない。
中央管理装置２９は、例えば、各駐車場１ａ〜１ｄの１日当たりの利用台数や売上金額等を集計したり、各駐車場１ａ〜１ｄの現在の利用状況や各駐車料金精算機６ａ〜６ｄの動作状態等を監視したりする従来の機能に加え、前述した第１実施形態と同じ料金体系設定機能を備えている。すなわち、中央管理装置２９は前述のタッチパネル式の係員操作部８を備え、例えば係員が画面内に表示される設定項目領域に触れることで選択した設定項目に応じた画面に変化し、選択毎に変化する各画面の設定項目の内容に従って料金体系を設定する構成である。
【００４６】
次に、中央管理装置２９における料金体系の設定動作を図１１のフローチャートを参照しながら説明する。
ステップ４１において、画面内に表示される設定項目の選択に従って画面を切り替えて料金体系を設定する。料金体系の具体的な設定動作は、前述の図９におけるステップ２７〜ステップ２９と同じであるのでここでは詳述しない。尚、第１実施形態と同様、料金体系の設定以外の動作を係員による選択に従って行う構成としてもよい。
【００４７】
ステップ４２において、料金体系をステップ４１で設定された料金体系に更新する。
ステップ４３において、ステップ４２で更新した料金体系を中央管理装置２９が管轄する全ての駐車料金精算機６ａ〜６ｄにダウンロードする。
以上のように、第２実施形態では、係員による画面操作に従って設定された料金体系を、中央管理装置２９から全ての精算機６ａ〜６ｄにダウンロードする構成としたので、各精算機６ａ〜６ｄに対して料金体系を一括して設定できる。したがって、複数の駐車場１ａ〜１ｄを管理する場合には、係員による料金体系の設定作業がより一層容易になる。
【００４８】
また、中央管理装置２９は、料金体系設定時に個々の精算機６ａ〜６ｄを選択できるので、駐車場１ａ〜１ｄ毎に料金体系を設定できるようになる。
さらに、前述の図９におけるステップ２６のように、駐車場１ａ〜１ｄ内に予め設定された複数のエリア毎に料金体系を設定することも可能である。
尚、中央管理装置としては、前述したような複数の駐車場６ａ〜６ｄを直接管理する中央管理装置２９でもよく、複数の中央管理装置と電話回線等で情報通信可能に接続され複数の中央管理装置を管理する上位の中央管理装置でもよい。この場合、上位の中央管理装置に係員操作部８を設けて前述と同様にして料金体系を設定し、設定した料金体系を中央管理装置２９を介して各精算機６ａ〜６ｄにダウンロードする構成とすればよい。
【００４９】
また、係員操作部８は画面上にテンキーを表示して、料金データをテンキーで任意に設定できる構成でもよい。
【００５０】
【発明の効果】
以上説明したように、請求項１に係る発明によれば、料金データ設定部の操作部に表示される画面を操作するだけで料金データを設定できる構成としたので、料金データの設定、変更作業が容易になる。また、変更したい一部の料金データだけの変更が可能になる。更に、駐車料金算出機能を備えた端末機の料金データを一括して更新設定できる。
【００５１】
請求項２，３に係る発明によれば、駐車場内を区分けした複数のエリア毎に駐車料金を設定できるので、駐車場の運用効率等を向上させることができる。
【図面の簡単な説明】
【図１】本発明に係る駐車場管理システムの第１実施形態を適用する駐車場の例を示す図
【図２】同上実施形態に係る駐車料金精算機の外観図
【図３】同上実施形態に係る駐車料金精算機のブロック図
【図４】同上実施形態に係る端末機のブロック図
【図５】駐車場の駐車料金の設定に変更がある場合の同上実施形態の駐車料金精算機の動作フローチャート
【図６】駐車場の駐車料金の設定に変更がある場合の同上実施形態の端末機の動作フローチャート
【図７】係員操作用の画面の具体的な表示内容を示した図
【図８】図７に続く係員操作用の画面の具体的な表示内容を示した図
【図９】同上実施形態の駐車料金精算機における料金体系設定時の動作フローチャート
【図１０】本発明に係る駐車場管理システムの第２実施形態のブロック図
【図１１】同上実施形態の中央管理装置における料金体系設定時の動作フローチャート
【符号の説明】
１      駐車場
３      駐車区域
４      端末機
６      駐車料金精算機
７      第１制御部
８      係員操作部
２９    中央管理装置
【図１】
0003569679.tif 000002
【図２】
0003569679.tif 000003
【図３】
0003569679.tif 000004
【図４】
0003569679.tif 000005
【図５】
0003569679.tif 000006
【図６】
0003569679.tif 000007
【図７】
0003569679.tif 000008
【図８】
0003569679.tif 000009
【図９】
0003569679.tif 000010
【図１０】
0003569679.tif 000011
【図１１】
0003569679.tif 000012